(57)【特許請求の範囲】
【請求項１】
外締り錠部の内面に位置決め用のマークを設けると共に、設計上このマークと整合する内締り錠部の錠箱及び錠箱外面を貫通して、このマークよりやや大きな開口を有する照準孔を形成し、一方、この錠箱の上面及び下面の少なくとも一方に、それぞれ錠箱外面に平行な挟着片とこの挟着片より短いねじ支持片とを有し、このねじ支持片に雌ねじ孔を形成してなる仮止部材を、挟着片と錠箱外面の間に内側縦框の前方の開口端縁を挟み込む関係位置で固設し、内締り錠部の装着に先立って外締り錠部を外側縦框に装着し、一方、内締り錠部に開口した照準孔を室内側から覗き込み、その外側開口のほぼ中央に位置決め用のマークが来るように内締り錠部の位置を調整し、次いで、仮止部材のねじ支持片に室内側から仮止ねじを締め込み、挟着片とねじ支持片との間で突っ張る仮止ねじによる挟着片の変形を利用して、この挟着片と錠箱外面の間に内側縦框の前方の開口端縁を挟み込んで内締り錠部を仮止めし、然る後内側エスカチオンをねじ止めするようにしたことを特徴とする引戸錠の取付装置。
【請求項２】
外締り錠部の内面に位置決め用のマークを設けると共に、設計上このマークと整合する内締り錠部の錠箱及び錠箱外面の部分を貫通して、このマークよりやや大きな開口を有する照準孔を形成し、一方、内締り錠部の内側エスカチオンと内側縦框との間に、内側エスカチオンとほぼ同じ外形を有し、内側エスカチオンと干渉する部分及び照準孔を覆う部分を切り欠いた仮止板を設け、内締り錠部の装着に先立って外締り錠部を外側縦框に装着し、一方、内締り錠部に開口した照準孔を室内側から覗き込み、その外側開口のほぼ中央に位置決め用のマークが来るように内締り錠部の位置を調整し、次いで、この仮止板を内締り錠部の錠箱にねじ止めすることによって内締り錠部を仮止めし、然る後内側エスカチオンを仮止板にねじ止めするようにしたことを特徴とする引戸錠の取付装置。
【請求項３】
外締り錠部の内面に位置決め用のマークを設けると共に、設計上このマークと整合する内締り錠部の錠箱及び錠箱外面の部分を貫通して、このマークよりやや大きな開口を有する照準孔を形成し、一方、この錠箱の上面及び下面の少なくとも一方に、錠箱外面に平行で雌ねじ孔を形成したねじ支持片を設け、内締り錠部の装着に先立って外締り錠部を外側縦框に装着し、一方、内締り錠部に開口した照準孔を室内側から覗き込み、その外側開口のほぼ中央に位置決め用のマークが来るように内締り錠部の位置を調整し、次いで、このねじ支持片に室内側から仮止ねじを締め込み、この仮止ねじと錠箱外面の間に内側縦框の前方の開口端縁を挟み込んで内締り錠部を仮止めし、然る後内側エスカチオンをねじ止めするようにしたことを特徴とする引戸錠の取付装置。
【請求項４】
外締り錠部の内面に位置決め用のマークを設けると共に、設計上このマークと整合する内締り錠部の錠箱外面を貫通して、このマークよりやや大きな開口を有する照準孔を形成し、一方、この錠箱の上面及び下面の少なくとも一方に、これを錠箱の内側から斜めに貫通して外締り錠部方向に突出する仮止ねじを螺合させ、内締り錠部の装着に先立って外締り錠部を外側縦框に装着し、一方、内締り錠部に開口した照準孔を室内側から覗き込み、その外側開口のほぼ中央に位置決め用のマークが来るように内締り錠部の位置を調整し、次いで、内側エスカチオンを取り外した状態で、錠箱内側から仮止ねじを締め込み、この仮止ねじと内締り錠部の錠箱外面との間に内側縦框の前方の開口端縁を挟み込んで内締り錠部を仮止めし、然る後内側エスカチオンをねじ止めするようにしたことを特徴とする引戸錠の取付装置。
【発明の詳細な説明】
【０００１】
【産業上の利用分野】
この発明は、引戸錠の取付装置（以下単に取付装置という）に係り、特に、引戸錠の取付作業を容易にすることができる取付装置に関する。
【０００２】
【従来の技術】
一般の引戸錠は、図１に示すように、シリンダ錠を有する外締り錠部２と、引戸閉鎖時この外締り錠部２と見付け方向（障子の幅方向）において整合する内締り錠部３とからなる。
【０００３】
そして、外締り錠部２又は内締り錠部３（図示のものは内締り錠部３）に内蔵された、通常カマと称される施錠部材４をストライク板５（図２参照）に開口したカマ投入孔６に振り入れ、引戸を錠止する。
【０００４】
上記カマ４は外締り錠部２に設けられる場合もあるが、何れにしても、カマ４は外側からはシリンダ錠１の合鍵により、内側からは内締り錠部３の内側エスカチオン７に案内された施錠摘み（図示せず）により、それぞれ施解錠操作できるようになっている。
【０００５】
しかして、上記外締り錠部２及び内締り錠部３は、図１に示すように、外側エスカチオン８及びストライク板５により、あるいはフロント板９及び内側エスカチオン７により、それぞれ障子の外側及び内側縦框１１，１２を挟持するようにして障子に装着される。
【０００６】
例えば外締り錠部２は、止めねじ１３により、雌ねじ杆１４を介して外側エスカチオン８をストライク板５側に呼び付けるようにして、これら外側エスカチオン８及びストライク板５により外側縦框１１を強く挟持し、これらの間に働く摩擦力を利用して外締り錠部２を外側縦框１１に装着する。
【０００７】
又、内締り錠部３は、その錠箱１７にねじ込まれる止めねじ１３により、錠箱外面であるフロント板９及び内側エスカチオン７により内側縦框１２を強く挟持し、これらの間に働く摩擦力を利用して内締り錠部３を内側縦框１２に装着する。
【０００８】
【発明が解決しようとする課題】
しかして、上記した構造の従来の引戸錠は、外締り錠部２と内締り錠部３とに分割され、それぞれが引き違いとなる外側縦框１１及び内側縦框１２に装着されるので、これらが引戸閉鎖時設計値よりも上下方向、あるいは見付け方向にずれることがある。
【０００９】
このずれ量が許容値よりも大きくなると、施錠時カマ４がカマ投入孔６の開口端縁に引っ掛かり、施錠ができなくなる、という不都合がある。
【００１０】
この不都合を解消するため、実開昭５６−６７２５７号公報に記載された取付装置は、外締り錠部のフロント板に位置決め用のマークを標記し、一方、内締り錠部には、これを貫通するようにして、レンズ及び十字線入りの照準ガラスを有するコリメータ様の照準装置を内蔵し、引戸錠装着時、先ず外側縦框に装着された外締り錠部のマークが、上記照準装置の十字線の中央に来るように内締り錠部の位置決めをし、その状態で内締り錠部を縦框に固定する。
【００１１】
しかしながら、上記した取付装置は、通常は唯一回の取付作業に用いる照準装置が立派過ぎて、あたかも牛刀を以て鶏を割くの感がある。
【００１２】
又、実公昭５４−３４８６７号公報に記載された取付装置は、内締り錠部に設けられた上記照準装置を、単に内締り錠部を水平に貫通する照準孔としている。
【００１３】
この場合、先に外側縦框に装着された外締り錠部のマークが、照準孔の中央に来るように内締り錠部の位置決めをするので、必要にして充分な位置決めができ、しかも構造が簡単であるが、照準孔が内側エスカチオンに開口するので、その儘では見栄えが悪い、という不都合がある。
【００１４】
この発明は、構造が簡単で、しかも照準孔が内側エスカチオンに開口しない取付装置を提供することを目的としている。
【００１５】
【課題を解決するための手段】
上記の目的を達成するため、請求項１に記載の発明は、外締り錠部の内面に位置決め用のマークを設けると共に、設計上このマークと整合する内締り錠部の錠箱及び錠箱外面の部分を貫通して、このマークよりやや大きな開口を有する照準孔を形成し、一方、この錠箱の上面及び下面の少なくとも一方に、それぞれ錠箱外面に平行な挟着片とこの挟着片より短いねじ支持片とを有し、このねじ支持片に雌ねじ孔を形成してなる仮止部材を、挟着片と錠箱外面の間に内側縦框の前方の開口端縁を挟み込む関係位置で固設し、内締り錠部の装着に先立って外締り錠部を外側縦框に装着し、一方、内締り錠部に開口した照準孔を室内側から覗き込み、その外側開口のほぼ中央に位置決め用のマークが来るように内締り錠部の位置を調整し、次いで、仮止部材のねじ支持片に室内側から仮止ねじを締め込み、挟着片とねじ支持片との間で突っ張る仮止ねじによる挟着片の変形を利用して、この挟着片と錠箱外面の間に内側縦框の前方の開口端縁を挟み込んで内締り錠部を仮止めし、然る後内側エスカチオンをねじ止めするようにしたことを特徴とする。
【００１６】
又、請求項２に記載の発明は、外締り錠部の内面に位置決め用のマークを設けると共に、設計上このマークと整合する内締り錠部の錠箱及び錠箱外面の部分を貫通して、このマークよりやや大きな開口を有する照準孔を形成し、一方、内締り錠部の内側エスカチオンと内側縦框との間に、内側エスカチオンとほぼ同じ外形を有し、内側エスカチオンと干渉する部分及び照準孔を覆う部分を切り欠いた仮止板を設け、内締り錠部の装着に先立って外締り錠部を外側縦框に装着し、一方、内締り錠部に開口した照準孔を室内側から覗き込み、その外側開口のほぼ中央に位置決め用のマークが来るように内締り錠部の位置を調整し、次いで、この仮止板を内締り錠部の錠箱にねじ止めすることによって内締り錠部を仮止めし、然る後内側エスカチオンを仮止板にねじ止めするようにしたことを特徴とする。
【００１７】
更に又、請求項３に記載の発明は、外締り錠部の内面に位置決め用のマークを設けると共に、設計上このマークと整合する内締り錠部の錠箱及び錠箱外面の部分を貫通して、このマークよりやや大きな開口を有する照準孔を形成し、一方、この錠箱の上面及び下面の少なくとも一方に、錠箱外面に平行で雌ねじ孔を形成したねじ支持片を設け、内締り錠部の装着に先立って外締り錠部を外側縦框に装着し、一方、内締り錠部に開口した照準孔を室内側から覗き込み、その外側開口のほぼ中央に位置決め用のマークが来るように内締り錠部の位置を調整し、次いで、このねじ支持片に室内側から仮止ねじを締め込み、この仮止ねじと錠箱外面の間に内側縦框の前方の開口端縁を挟み込んで内締り錠部を仮止めし、然る後内側エスカチオンをねじ止めするようにしたことを特徴とする。
【００１８】
請求項４に記載の発明は、外締り錠部の内面に位置決め用のマークを設けると共に、設計上このマークと整合する内締り錠部の錠箱外面を貫通して、このマークよりやや大きな開口を有する照準孔を形成し、一方、この錠箱の上面及び下面の少なくとも一方に、これを錠箱の内側から斜めに貫通して外締り錠部方向に突出する仮止ねじを螺合させ、内締り錠部の装着に先立って外締り錠部を外側縦框に装着し、一方、内締り錠部に開口した照準孔を室内側から覗き込み、その外側開口のほぼ中央に位置決め用のマークが来るように内締り錠部の位置を調整し、次いで、内側エスカチオンを取り外した状態で、錠箱内側から仮止ねじを締め込み、この仮止ねじと内締り錠部の錠箱外面との間に内側縦框の前方の開口端縁を挟み込んで内締り錠部を仮止めし、然る後内側エスカチオンをねじ止めするようにしたことを特徴とする。
【００１９】
【作用】
請求項１〜請求項３に記載の発明による取付装置は、何れも、内側エスカチオンを外した状態で、先に外側縦框に装着された外締り錠部に合せて内締り錠部の取付位置を調整する。
【００２０】
そして、その取付位置の調整は、請求項１に記載の発明による取付装置（図３参照）も、又、請求項２に記載の発明による取付装置（図４参照）も、更に又、請求項３に記載の発明による取付装置（図５参照）も、内締り錠部の錠箱に開口した照準孔１５を室内側から覗き込み、その外側開口のほぼ中央に外締り錠部の内面のマーク１６が来るように内締り錠部の位置を調整する。
【００２１】
外締り錠部に対し、相対位置を正規に調節した内締り錠部の仮止めは、請求項１に記載の発明による取付装置は、図３に示すように、内締り錠部の錠箱１７の上面及び下面の少なくとも一方に装着された仮止部材１８の仮止ねじ１９を室内側から締め込むことによって行う。
【００２２】
仮止ねじ１９を締め込むと、仮止部材１８の挟着片１８ａとねじ支持片１８ｂとの間で仮止ねじが突っ張ることになり、挟着片１８ａの弾性変形、或いは塑性変形により、挟着片の先端が内締り錠部の錠箱外面であるフロント板９方向に移動する。
【００２３】
その結果、挟着片の先端とフロント板とにより、内側縦框１２の開口端縁が確りと挟持されることになり、この部分の摩擦力を利用して内締り錠部が内側縦框に仮止めされる。
【００２４】
このようにして、先に外側縦框に装着された外締り錠部に対し、内締り錠部が設計上の基準位置に仮止めされた後、内側エスカチオンをねじ止めする。
【００２５】
請求項２に記載された発明による取付装置において、外締り錠部に対し相対位置を正規に調節した内締り錠部の仮止めは、図４に示すように、仮止ねじ１９により、仮止板２１を内締り錠部にねじ止めする。
【００２６】
この場合、仮止板２１とフロント板９との間に内側縦框１３が挟持されることになり、これらの間に作用する摩擦力により、内締り錠部が内側縦框１２に仮止めされる。
【００２７】
このようにして、先に外側縦框に装着された外締り錠部に対し、内締り錠部が設計上の基準位置に仮止めされた後、内側エスカチオンを仮止板２１にねじ止めする。
【００２８】
請求項３に記載の発明による取付装置において、外締り錠部に対し相対位置を正規に調節した内締り錠部の仮止めは、図５に示すように、仮止ねじ１９を締め込み、その先端とフロント板９との間に内側縦框１２の開口端縁を挟み込むことにより行う。
【００２９】
このようにして、先に外側縦框に装着された外締り錠部に対し、内締り錠部が設計上の基準位置に仮止めされた後、内側エスカチオンをねじ止めする。
【００３０】
請求項４に記載の発明による取付装置は、内側エスカチオン７（図６参照）を外した状態で、先に外側縦框１１に装着された外締り錠部２に合せて内締り錠部３の取付位置を調整する。
【００３１】
そして、その取付位置の調整は、内締り錠部３の錠箱１７の外面に開口した照準孔１５（図６参照）を室内側から覗き込み、その外側開口のほぼ中央に外締り錠部の内面のマーク１６が来るように内締り錠部３の位置を調整する。
【００３２】
外締り錠部２に対し、相対位置を正規に調節した内締り錠部３の仮止めは、仮止ねじ１９を締め込み、その先端と内締り錠部３の外面（図６の実施例ではストライク板５）との間に内側縦框１２の開口端縁を挟み込むことにより行う。
【００３３】
このようにして、先に外側縦框に装着された外締り錠部に対し、内締り錠部が設計上の基準位置に仮止めされた後、内側エスカチオン７をねじ止め等により装着する。
【００３４】
【実施例】
以下、図３及至図６を参照して本発明の実施例を参照する。
請求項１に記載の発明の一実施例を示す図３において、符号５は外締り錠部２の内面となるストライク板を示し、このストライク板５の表面上部には、外形が例えば円形の位置決め用のマーク１６が設けられている（図２参照）。
【００３５】
このマーク１６は、図示の実施例では、ストライク板５の所定の箇所に丸い穴を開け、この穴に例えば赤いペイントを充填することにより構成されている。
【００３６】
このマーク１６は、必ずしも上記したような堅牢な構成でなくても良く、例えば、ストライク板の所定の箇所にペイントで丸く標記しておく、等の簡易なもので良い。
【００３７】
ちなみに、このマーク１６の直径は例えば数ｍｍ程度で充分である。
【００３８】
このマーク１６に対応して、内締り錠部３には照準孔１５が形成されている。この照準孔１５は、設計上このマーク１６と整合する内締り錠部の錠箱及びフロント板の部分を貫通するように形成され、マーク１６よりやや大きな開口を有している。
【００３９】
尚、此で設計上このマーク１６と整合する、という意味は、外締り錠部２と内締り錠部３とが基準関係位置に置かれた時、マーク１６の中心を通り、ストライク板５及びフロント板９に垂直な線が、照準孔１５の中心軸線とほぼ合致する、ということである。
【００４０】
又、図３においては、図面を明瞭にするため、符号１５の引出し線の先端が照準孔と錠箱１７或いはフロント板９等の実体部との交差部を示すように記載されているが、照準孔１５は上記交差部の内側の空間を意味する。
【００４１】
更に又、照準孔１５の開口の大きさをマーク１６のそれよりも大きくした意味は、照準孔１５を内側から覗き込んだ時、その開口がマーク１６より小さければ、マーク１６の一部のみが照準孔の開口に現われることになり、且つその状態は内締り錠部を少し移動させても変化しないので、内締り錠部の位置決めが精度良く行われないからである。
【００４２】
一方、照準孔の開口がマーク１６より大きければ、照準孔１５を内側から覗き込んだ時、マーク１６は照準孔の開口内に全部が現われる。そこで、マーク１６を照準孔１５の開口の中心に置くことにより、マーク１６と照準孔１５との整合を精度良く確認できる。
【００４３】
又、図示の実施例では、照準孔１５はその全長にわたって同径の所謂円筒形であるが、照準孔１５は必ずしも円筒形である必要はなく、例えば内側（図３で右側）が小径の円錐台形であってもよい。この場合、上記照準孔１５の開口は、フロント板９の開口とする。
【００４４】
一方、内締り錠部２の錠箱１７の上面及び下面には、仮止部材１８が例えば溶接等により一体に結合されている。
【００４５】
図示の実施例における仮止部材１８は、断面形状が略コ字形に折曲された板状体で、相互に対向する一対の平行板部の一方を他方より長くして挟着片１８ａとし、他方をねじ支持片１８ｂとしている。
【００４６】
図示の実施例では、上記挟着片１８ａの自由端には、外側に向けて凸部が形成されている。
【００４７】
又、ねじ支持片１８ｂのほぼ中央には、図示しない雌ねじ孔が形成され、この雌ねじ孔には、内側から仮止ねじ１９が螺合している。
【００４８】
上記した構成の仮止部材１８は、その挟着片１８ａとフロント板９との間に内側縦框１２の開口端縁の厚さより若干大きな間隙を保つようにして、錠箱１７の上面及び下面に一体に結合される。
【００４９】
尚、仮止部材１８の挟着片１８ａ及びねじ支持片１８ｂは、必ずしも一体に結合されるべき合理的な理由は無く、別体であってもよい。
【００５０】
例えば、錠箱１７の上面及び／又は下面の一部を垂直に切り起こし、これにタップを立ててねじ支持片とし、挟着片は断面Ｌ字形の板材をねじ止め或いは溶接によって、上記ねじ支持片に平行に固着する（図示せず）。
【００５１】
上記マーク１６を照準孔１５の開口の中心に置くことにより内締り錠部２の基準位置を割出した後、仮止ねじ１９を締め込んでゆくと、仮止ねじ１９が挟着片１８ａ及びねじ支持片１８ｂの間で突っ張り、仮止ねじの先端に押されて挟着片１８ａが外側に変形し、その結果、挟着片の先端とフロント板との間に内側縦框１２の開口端縁が強く挟持され、これらの間に生じる摩擦力により内締り錠部の仮止が行われることは前記したとおりである。
【００５２】
内締り錠部２の仮止後、内側エスカチオン７をねじ止すれば、引戸錠の取付作業は完了する。
【００５３】
次に、請求項２に記載の発明の一実施例を示す図４において、符号２１は仮止板を示す。
【００５４】
この仮止板２１は、外形が内側エスカチオン７とほぼ同形であり、その中央部の内側エスカチオン７と干渉する部分及び照準孔１５を覆う部分を、その周りに余裕をもって切り欠かれている。
【００５５】
この仮止板２１は、照準孔１５とマーク１６とにより内締り錠部２の基準位置を割出した後、仮止ねじ１９、１９により、例えば錠箱１７にねじ止され、このようにして内締り錠部２の仮止が行われる。
【００５６】
その後、内側エスカチオン７を仮止板２１にねじ止することにより、引戸錠の取付作業は完了する。
【００５７】
次に、請求項３に記載の発明の一実施例を示す図５において、符号１８ｂはねじ支持片を示す。このねじ支持片１８ｂは図示の実施例のように例えば溶接により、或いはねじ止により、錠箱に一体的に結合されている。
【００５８】
このねじ支持片１８ｂは、請求項１に記載の発明における仮止部材１８（図３参照）から挟着片１８ａを取り除いたものと考えても良いし、又は、錠箱１７の上面又は下面の一部を垂直に切り起こし、その切り起こし部にタップを立てたものとしても良い。
【００５９】
このねじ支持片１８ｂに仮止ねじ１９を螺合させて用いる。尚、この仮止ねじ１９を締め込んでいくドライバーと、内側縦框の内側の開口端縁との干渉を防止するため、当該開口端縁と仮止ねじ１９の軸線とが交差する部分に、例えば半円形の切り欠き２３を形成するのが望ましい。
【００６０】
上記切り欠き２３は、内側エスカチオン７で覆うことができる程度の大きさにすることが望ましい。
【００６１】
又は、上記した切り欠き２３を形成する代りに、内側縦框の内側の開口及び内側エスカチオン７を図５に示すよりも大きくすれば、仮止ねじ１９を締め込むドライバーと内側縦框の開口端縁との干渉を防止することができる。
【００６２】
請求項４に記載の発明による引戸錠を示す図６において、錠箱１７の上面及び下面の少なくとも一方（図６に示すものは両方）の一部が斜めに切り起こされ、ねじ支持片１８ｂが形成されている。
【００６３】
尚、図６に示す実施例においては、カマ４が外締り錠部３側に設けられているから、図１〜図５に示す実施例とは異なり、内締り錠部３側にストライク板５が、外締り錠部２側にフロント板９が装着されている。
【００６４】
上記ねじ支持片１８ｂには雌ねじ孔（図示せず）が開口しており、この雌ねじ孔には、仮止ねじ１９、１９が夫々錠箱１７の上面及び下面の夫々を内側から斜めに貫通し、その先端が外締り錠部２方向に突出するように螺合している。
【００６５】
図６に示す実施例においては、ねじ支持片１８ｂの自由端部（図６において右端部）が外側、即ち外締り錠部２側になるように切り起こしたので、仮止ねじ１９の先端を外締り錠部２方向に突出させるため、ねじ支持片１８ｂを錠箱１７の内側に切り起こした。
【００６６】
しかしながら、ねじ支持片１８ｂの自由端部が室内側になる場合には、ねじ支持片１８ｂを錠箱１７の外側に切り起こすべきであることは言うまでもない。
【００６７】
尚、仮止ねじ１９を錠箱１７に斜めに装着するには、必ずしも図６に示すようにねじ支持片を切り起こす必要はなく、例えば溶接その他の結合手段により、仮止ねじと螺合するナット様の部材（図示せず）を、錠箱の上面、下面を斜めに貫通するように結合してもよい。
【００６８】
又、図６において全体を符号１０で示すカマ４の操作機構については、本発明の要旨ではないので、その説明を省略する。
【００６９】
尚、図３及至図６において、図１と同符号を付した部分は、図１と均等な部分を示す。
【００７０】
【発明の効果】
以上の説明から明らかなように、本発明は、外締り錠部の内面のマークと、内締り錠部の照準孔を用いて内締り錠部の基準位置を割出すので、引戸錠の取付作業が容易になる、という所期の目的を達成している。
【００７１】
又、上記内締り錠部の基準位置の割出しを内側エスカチオンを外した状態で行い、内締り錠部を仮止した後内側エスカチオンを装着するようにしたので、照準孔の内側の開口が内側エスカチオンで覆われ、室内側の見栄えが良くなる、という効果を奏する。
【図面の簡単な説明】
【図１】従来の引戸錠の構成の一例を示す線図的一部断面側面図。
【図２】本発明の一実施例による取付装置を備えた引戸錠の外締り錠部のストライク板の正面図。
【図３】請求項１に記載の発明の一実施例による取付装置を備えた引戸錠の線図的一部断面側面図。
【図４】請求項２に記載の発明の一実施例による取付装置を備えた引戸錠の線図的一部断面側面図。
【図５】請求項３に記載の発明の一実施例による取付装置を備えた引戸錠の線図的一部断面側面図。
【図６】請求項４に記載の発明の一実施例による取付装置を備えた引戸錠の一部断面側面図。
【符号の説明】
２  外締り錠部
３  内締り錠部
４  カマ
５  ストライク板
７  内側エスカチオン
８  外側エスカチオン
９  フロント板
１１  外側縦框
１２  内側縦框
１３  止めねじ
１５  照準孔
１６  マーク
１７  錠箱
１８  仮止部材
１８ａ  挟着片
１８ｂ  ねじ支持片
１９  仮止ねじ
２１  仮止板
２３  切り欠き
【図１】
0003542044.tif 000002
【図２】
0003542044.tif 000003
【図３】
0003542044.tif 000004
【図４】
0003542044.tif 000005
【図５】
0003542044.tif 000006
【図６】
0003542044.tif 000007